(57)【要約】【課題】パネルの重量を下部ランナーで支持するパネルと壁面との間の隙間を確実に塞ぎ得る折引戸を提供する。【解決手段】上部レールに沿って移動する上部ランナーと、下部レール１２ａに沿って移動する下部ランナー１４ａとでパネル１ａを移動可能に支持し、パネル１ａの重量を下部ランナー１４ａで支持し、各パネルを上部ランナーと下部ランナー１４ａを回動支点として回動可能に支持し、少なくとも一対のパネルを蝶番部を介して回動可能に連結した折引戸において、一対のパネルの下部ランナー１４ａに、該パネルの下限位置を設定する下限位置設定手段２０，２５，２６を設けるとともに、下限位置より上方では該パネルを自在に上下動可能に支持した。【選択図】        図２
2004232409.tif 000002
【特許請求の範囲】
【請求項１】
上部レールに沿って移動する上部ランナーと、下部レールに沿って移動する下部ランナーとでパネルを移動可能に支持し、前記パネルの重量を下部ランナーで支持し、前記各パネルを前記上部ランナーと下部ランナーを回動支点として回動可能に支持し、少なくとも一対のパネルを蝶番部を介して回動可能に連結した折引戸において、
前記一対のパネルの下部ランナーに、該パネルの下限位置を設定する下限位置設定手段を設けるとともに、下限位置より上方では該パネルを自在に上下動可能に支持したことを特徴とする折引戸。
【請求項２】
前記下部ランナーには、前記下限位置より上方でパネルの静荷重を保持可能とする保持手段を設けたことを特徴とする請求項１記載の折引戸。
【請求項３】
前記保持手段は、前記下部ランナーに取着された支軸を前記パネルに取着した軸保持部材に上下方向に相対移動可能に挿通し、前記支軸と軸保持部材との間には、前記パネルの自重では該パネルを下降させない摺動抵抗を付与する摺動抵抗生成部を備えて構成したことを特徴とする請求項２記載の折引戸。
【請求項４】
前記摺動抵抗生成部は、前記支軸を断面角軸状とし、その角軸の頂部を前記軸保持部材の筒部の内周面に係合させて構成したことを特徴とする請求項３記載の折引戸。
【請求項５】
前記摺動抵抗生成部は、前記支軸を前記軸保持部材の筒部に挿通し、該筒部の内周面と前記支軸との間にＯリングを介在させて構成したことを特徴とする請求項３記載の折引戸。
【発明の詳細な説明】
【０００１】
【発明の属する技術分野】
この発明は、パネルを上部レールと下部レールとの間で移動可能に支持するとともに、各パネルを折り畳んで収納可能とした折引戸に関するものである。
【０００２】
【従来の技術】
従来、クローゼット等の扉あるいは室内空間を適宜に区画する間仕切りとして使用される折引戸は、例えば図９に示すように、複数枚のパネル１ａ，１ｂが下部レール２と上部レール３との間で移動可能に支持され、かつ各パネル１ａ，１ｂが蝶番部４を介して回動可能に連結されている。
【０００３】
各パネル１ａ，１ｂは、その幅方向中央部に下部ランナー５及び上部ランナー６が設けられ、下部ランナー５で各パネル１ａ，１ｂの重量が支持され、下部レール２及び上部レール３に沿って移動可能に、かつ回動可能に支持されている。
【０００４】
このような折引戸において、パネル１ａの端縁が当接する壁面に倒れが生じていると、パネル１ａを壁面に当接させたとき、パネル１ａ端縁と壁面との間に隙間が生じる。
【０００５】
そこで、壁面に当接するパネル１ａの端縁にクッションゴムを取着することにより、隙間を塞ぐように構成したもの、あるいはパネルの端縁部に、壁面に向かって突出する隙間防止部材を出没可能に支持した隙間防止装置が提案されている。
【０００６】
特許文献１には、パネルを上部ランナーから吊下支持する構成とした間仕切戸において、下部ランナーの係入部材の突出量を調節して、倒れが生じている壁面にパネルを当接させたとき、下部ランナーが下部レールに安定して支持される構成が開示されている。
【０００７】
【特許文献１】
実公平７−２７３３８
【０００８】
【発明が解決しようとする課題】
パネルと壁面との間の隙間を塞ぐためにクッションゴムを設ける構成では、パネル自身を壁の倒れに合わせることはできない。従って、壁の倒れが大きくなると、隙間を確実に塞ぐことができないという問題点がある。
【０００９】
また、パネルの端縁部に隙間防止装置を内蔵すると、パネルの厚さあるいは縦枠の寸法が増大するともとに、コストも上昇するという問題点がある。
特許文献１に記載された構成は、上部ランナーでパネルの重量を支持する構成であるので、下部ランナーでパネルの重量を支持する構成に採用することはできない。
【００１０】
この発明の目的は、パネルの重量を下部ランナーで支持するパネルと壁面との間の隙間を確実に塞ぎ得る折引戸を提供することにある。
【００１１】
【課題を解決するための手段】
請求項１では、上部レールに沿って移動する上部ランナーと、下部レールに沿って移動する下部ランナーとでパネルを移動可能に支持し、前記パネルの重量を下部ランナーで支持し、前記各パネルを前記上部ランナーと下部ランナーを回動支点として回動可能に支持し、少なくとも一対のパネルを蝶番部を介して回動可能に連結した折引戸において、前記一対のパネルの下部ランナーに、該パネルの下限位置を設定する下限位置設定手段を設けるとともに、下限位置より上方では該パネルを自在に上下動可能に支持した。
【００１２】
請求項２では、前記下部ランナーには、前記下限位置より上方でパネルの静荷重を保持可能とする保持手段を設けた。
請求項３では、前記保持手段は、前記下部ランナーに取着された支軸を前記パネルに取着した軸保持部材に上下方向に相対移動可能に挿通し、前記支軸と軸保持部材との間には、前記パネルの自重では該パネルを下降させない摺動抵抗を付与する摺動抵抗生成部を備えて構成した。
【００１３】
請求項４では、前記摺動抵抗生成部は、前記支軸を断面角軸状とし、その角軸の頂部を前記軸保持部材の筒部の内周面に係合させて構成した。
請求項５では、前記摺動抵抗生成部は、前記支軸を前記軸保持部材の筒部に挿通し、該筒部の内周面と前記支軸との間にＯリングを介在させて構成した。
【００１４】
【発明の実施の形態】
（第一の実施の形態）
以下、この発明を具体化した第一の実施の形態を図面に従って説明する。図１に示す折引戸は、パネル１ａ〜１ｄが天井面に設けられる上部レール１１ａ，１１ｂと（図７参照）、床面に設けられる下部レール１２ａ，１２ｂ（図４参照）に沿って引き違い操作可能に支持される。
【００１５】
すなわち、パネル１ａ，１ｂは、その上縁部の幅方向中央部が上部ランナー１３ａ，１３ｂを介して上部レール１１ａに支持され、下縁部の幅方向中央部が下部ランナー１４ａ，１４ｂを介して下部レール１２ａに支持されている。
【００１６】
同様に、パネル１ｃ，１ｄは、その上縁部の幅方向中央部が上部ランナー１３ｃ，１３ｄを介して上部レール１１ｂに支持され、下縁部の幅方向中央部が下部ランナー１４ｃ，１４ｄを介して下部レール１２ｂに支持されている。
【００１７】
前記各パネル１ａ〜１ｄでは、上部ランナー１３ａ〜１３ｄより下部ランナー１４ａ〜１４ｄでより大きな荷重を支持するように設定される。
前記パネル１ａ，１ｂは、蝶番部１５ａを介して回動可能に連結され、前記パネル１ｃ，１ｄは、蝶番部１５ｂを介して回動可能に連結されている。従って、パネル１ａ，１ｂ及び同１ｃ，１ｄを互いに回動させると、同パネル１ａ〜１ｄを上部レール１１ａ，１１ｂの一側に畳み込み可能となっている。
【００１８】
次に、前記下部ランナー１４ａ〜１４ｄの構成を説明する。前記下部ランナー１４ａ〜１４ｄは同一構成であるので、下部ランナー１４ａについてその構成を説明する。
【００１９】
図２及び図４に示すように、下部ランナー１４ａのランナー本体１６には４個の車輪１７が回転可能に支持されている。前記ランナー本体１６は、下部レール１２ａ内に挿通され、車輪１７は下部レール１２ａの底面上を転動するようになっている。
【００２０】
また、前記車輪１７の上方には僅かなクリアランスを介して下部レール１２ａの上辺１８が延設されている。従って、車輪１７は下部レール１２ａ内でほぼ上下動不能に支持されている。
【００２１】
前記ランナー本体１６の中央部には金属製の支軸１９が垂立され、その支軸１９の下端がランナー本体１６に固定されている。また、前記支軸１９は軸保持部材２０の筒部２１に挿通され、その軸保持部材２０はその両側がネジ２２でパネル１ａの下枠に固定されている。
【００２２】
前記支軸１９の上端部にはフランジ状の抜け止め２３が形成され、筒部２１の上方への抜けが防止されている。
前記支軸１９の上部には、六角棒部２４が形成され、前記筒部２１は合成樹脂で成形されている。そして、図３に示すように、六角棒部２４の断面六角形の頂部が筒部２１の内周面に係合している。このような六角棒部２４及び筒部２１により摺動抵抗生成部が構成される。
【００２３】
従って、支軸１９は筒部２１に対し、所定の摺動抵抗が付与された状態で上下方向に相対移動可能に支持される。この摺動抵抗は、パネル１ａの静荷重では支軸１９が筒部２１に対し相対移動しない値に設定される。従って、この摺動抵抗生成部がパネル１ａの静荷重を保持する保持手段として作用する。
【００２４】
前記支軸１９の六角棒部２４の下方には、ネジ軸部２５が形成され、そのネジ軸部２５にはナット２６が螺合されている。そして、前記軸保持部材２０はこのナット２６に支持されている。
【００２５】
従って、軸保持部材２０、ネジ軸部２５及びナット２６によりパネル１ａ〜１ｄの下限位置設定手段が構成される。
また、図５に示すように、ナット２６をネジ軸部２５の下方へ移動させれば、筒部２１が支軸１９に対し相対移動可能となる範囲が増大するとともに、パネル１ａ〜１ｄの下限位置が下方に設定される。
【００２６】
次に、前記上部ランナー１３ａ〜１３ｄの構成を説明する。前記上部ランナー１３ａ〜１３ｄは同一構成であるので、上部ランナー１３ａについてその構成を説明する。
【００２７】
図７及び図８に示すように、上部ランナー１３ａのランナー本体２７には４個の車輪２８が回転可能に支持され、その車輪２８が上部レール１１ａ内をほぼ上下動不能な状態で転動するようになっている。
【００２８】
前記ランナー本体２７には、支軸２９の上端が固定され、その支軸２９は軸保持部材３０に挿通されている。前記軸保持部材３０は、パネル１ａの上枠にネジ３１で固定される。
【００２９】
前記支軸２９の下端にはフランジ部３２が形成され、そのフランジ部３２と軸保持部材３０との間には、コイルスプリング３３が配設されている。従って、軸保持部材３０すなわちパネル１ａには、コイルスプリング３３により常に上方への付勢力が作用する。また、軸保持部材３０は支軸２９に対し、コイルスプリング３３の付勢力に抗して、上下方向に相対移動可能となっている。
【００３０】
次に、上記のように構成された折引戸の動作を説明する。パネル１ａ〜１ｄを上部レール１１ａ，１１ｂに沿って移動させ、パネル１ａ，１ｄの端縁を壁面に当接させると、図１に示すように、パネル１ａ〜１ｄが全閉状態となる。
【００３１】
このとき、例えば図１０に示すように、壁面７に倒れが生じているとき、パネル１ａをその端縁が壁面７に沿うように押圧する。すると、パネル１ａでは下部ランナー１４ａの下限位置設定手段により同パネル１ａの下限位置が規制されているので、上下方向にはほとんど相対移動しない。
【００３２】
パネル１ｂでは、パネル１ａの傾きに基づいて、下部ランナー１４ｂの軸保持部材２０が上方へ移動し、筒部２１と六角棒部２４との摺動抵抗により、その状態が保持される。また、上部ランナー１３ｂの軸保持部材３０がコイルスプリング３３の付勢力に補助されて、上方へ移動する。
【００３３】
このような動作により、パネル１ａ，１ｂは壁面７に沿って傾くので、パネル１ａと壁面７との間に隙間が生じることはない。
壁面７の倒れが逆方向であれば、下部ランナー１４ａにおいて軸保持部材２０が上方へ移動し、上部ランナー１３ａでは軸保持部材３０が上方へ移動することにより、パネル１ａが壁面７に沿って傾く。
【００３４】
このようなパネル１ａ，１ｂを畳み込むとき、まずパネル１ａ，１ｂを蝶番部１５ａで折り畳む。すると、パネル１ａ，１ｂの上部ランナー１３ａ，１３ｂと下部ランナー１４ａ，１４ｂの各軸保持部材２０，３０の高さがずれているので、図１１に示すように、パネル１ａ，１ｂが傾いた状態となる。
【００３５】
この状態で、パネル１ａ，１ｂを壁面７に押圧する等により、垂直方向となるように押圧すれば、下部ランナー１４ａ，１４ｂの軸保持部材２０の高さが揃うように各支軸１９と軸保持部材２０が相対移動する。このとき、上部ランナー１３ａでは、コイルスプリング３３の付勢力により補助されて、軸保持部材３０が上方へ移動し、図６に示すように下部ランナー１４ａの軸保持部材２０が上方へ移動する。そして、図１２に示すように、パネル１ａ，１ｂが垂直方向に畳み込まれる。
【００３６】
また、パネル１ａ，１ｂの軸保持部材２０の下限位置を壁面７の倒れに合わせてあらかじめ調整するようにしてもよい。
すなわち、図１０に示すように、パネル１ｂの軸保持部材２０の下限位置を、パネル１ａの軸保持部材２０の下限位置より上方に設定して、パネル１ａ，１ｂを壁面７に沿って傾いた状態とする。
【００３７】
この状態で、パネル１ａを壁面７に当接させれば、パネル１ａと壁面７との間に隙間が生じることはない。
このようなパネル１ａ，１ｂを畳み込むとき、パネル１ａ，１ｂの上部ランナー１３ａ，１３ｂと下部ランナー１４ａ，１４ｂの各軸保持部材２０，３０の高さがずれているので、図１１に示すように、パネル１ａ，１ｂが傾いた状態となる。
【００３８】
この状態で、パネル１ａ，１ｂを壁面７に押圧する等により、垂直方向となるように押圧すれば、下部ランナー１４ａ，１４ｂの軸保持部材２０の高さが揃うように各支軸１９と軸保持部材２０が相対移動する。このとき、上部ランナー１３ａでは、コイルスプリング３３の付勢力により補助されて、軸保持部材３０が上方へ移動し、下部ランナー１４ａの軸保持部材２０が上方へ移動する。そして、図１３に示すように、パネル１ａ，１ｂが垂直方向に畳み込まれる。
【００３９】
また、パネル１ａ，１ｂを畳み込んだ状態から、蝶番部１５ａを回動支点として回動させて開くとき、パネル１ａとパネル１ｂとの間で荷重の移動が生じても、下部ランナー１４ａ，１４ｂの筒部２１と六角棒部２４との間の摺動抵抗により、パネル１ａ，１ｂの急激な上下動が抑制される。パネル１ａ，１ｂを開いた状態から畳み込むときも同様である。従って、パネル１ａ，１ｂを円滑に開閉することが可能となる。
【００４０】
上記のように構成された折引戸では、次に示す作用効果を得ることができる。
（１）パネル１ａ〜１ｄを全閉状態まで引き出すとき、パネル１ａ，１ｄの端縁を壁面７に沿うように押圧すれば、パネル１ａ〜１ｄが壁面７に沿って傾くので、壁面７に倒れが生じていても、パネル１ａ，１ｄと壁面７との間に隙間が生じることはない。
（２）パネル１ａ〜１ｄを畳み込むとき、パネル１ａ〜１ｄを押圧することにより、垂直方向に容易に復帰させることができる。従って、畳み込み時の美観を低下させることはない。
（３）下部ランナー１４ａ〜１４ｄの筒部２１と六角棒部２４との間の摺動抵抗により、各パネル１ａ〜１ｄの高さがその自重により下降することはない。
（４）下部ランナー１４ａ〜１４ｄの筒部２１と六角棒部２４との間の摺動抵抗により、パネル１ａ〜１ｄを引き出すとき、各パネル１ａ〜１ｄの引き出し方向への揺動を防止して、引き出し操作を円滑に行うことができる。
（５）下部ランナー１４ａ〜１４ｄの車輪１７は、下部レール１２ａ，１２ｂ内でほぼ上下動不能に支持されている。従って、支軸１９を軸保持部材２０とを相対移動させるとき、パネル１ａ〜１ｂを押圧することにより、てこの原理を利用して、軽微な操作力で行うことができる。
（６）パネル１ａ，１ｄの端縁部に隙間防止装置を内蔵する必要がないので、パネルの厚さあるいは縦枠の寸法を増大させることがなく、コストを上昇させることもない。
（７）パネル１ａ，１ｂを畳み込んだ状態から、蝶番部１５ａを回動支点として回動させて開くとき、パネル１ａとパネル１ｂとの間で荷重の移動が生じても、下部ランナー１４ａ，１４ｂの筒部２１と六角棒部２４との間の摺動抵抗により、パネル１ａ，１ｂの急激な上下動が抑制される。また、パネル１ａ，１ｂを開いた状態から畳み込むときも同様にパネル１ａ，１ｂの急激な上下動が抑制される。従って、パネル１ａ，１ｂを円滑に開閉することができる。
（第二の実施の形態）
図１４は、第二の実施の形態を示す。この実施の形態は、下部ランナー１４ａ〜１４ｄの構成を一部変更したものであり、その他の構成は前記第一の実施の形態と同様である。
【００４１】
下部ランナー１４ａ〜１４ｄの支軸１９と軸保持部材２０との間には、所定の摺動抵抗を確保するために、Ｏリング３４が介在されている。すなわち、支軸１９のネジ軸部２５の上方は、丸棒状に形成され、軸保持部材２０の筒部２１の上下２箇所にはＯリング３４が支持されている。
【００４２】
そして、支軸１９と筒部２１とはＯリング３４により所定の摺動抵抗が付与された状態で上下方向に相対移動可能となっている。
このような構成により、前記第一の実施の形態と同様な作用効果を得ることができる。
【００４３】
上記実施の形態は、次に示すように変更することもできる。
・摺動抵抗生成部を省略してもよい。
・第一の実施の形態において、六角棒部２４は断面四角形状とする等、その他の断面多角形状としてもよい。
・パネルの静荷重を保持する保持手段は、摺動抵抗以外の粘性抵抗、油圧抵抗、空気圧抵抗等を使用する構成としてもよい。
【００４４】
【発明の効果】
以上詳述したように、この発明はパネルの重量を下部ランナーで支持するパネルと壁面との間の隙間を確実に塞ぎ得る折引戸を提供することができる。
【図面の簡単な説明】
【図１】折引戸を示す正面図である。
【図２】第一の実施の形態の下部ランナーを示す断面図である。
【図３】第一の実施の形態の摺動抵抗生成部を示す断面図である。
【図４】第一の実施の形態の下部ランナーを示す側面図である。
【図５】第一の実施の形態の下部ランナーの動作を示す断面図である。
【図６】第一の実施の形態の下部ランナーの動作を示す断面図である。
【図７】第一の実施の形態の上部ランナーを示す側面図である。
【図８】第一の実施の形態の上部ランナーを示す断面図である。
【図９】折引戸の動作を示す説明図である。
【図１０】折引戸の動作を示す説明図である。
【図１１】折引戸の動作を示す説明図である。
【図１２】折引戸の動作を示す説明図である。
【図１３】折引戸の動作を示す説明図である。
【図１４】第二の実施の形態の下部ランナーを示す断面図である。
【符号の説明】
１ａ〜１ｄ            パネル
１１ａ，１１ｂ        上部レール
１２ａ，１２ｂ        下部レール
１３ａ〜１３ｄ        上部ランナー
１４ａ〜１４ｄ        下部ランナー
１５ａ，１５ｂ        蝶番部
２０          下限位置設定手段（軸保持部材）
２５          下限位置設定手段（ネジ軸部）
２６          下限位置設定手段（ナット）
【図１】
2004232409.tif 000003
【図２】
2004232409.tif 000004
【図３】
2004232409.tif 000005
【図４】
2004232409.tif 000006
【図５】
2004232409.tif 000007
【図６】
2004232409.tif 000008
【図７】
2004232409.tif 000009
【図８】
2004232409.tif 000010
【図９】
2004232409.tif 000011
【図１０】
2004232409.tif 000012
【図１１】
2004232409.tif 000013
【図１２】
2004232409.tif 000014
【図１３】
2004232409.tif 000015
【図１４】
2004232409.tif 000016